(57)【要約】      （修正有）【課題】電気コストを低減し、新たな発光パターンを実現した電飾装置を提供する。【解決手段】長尺状の給電コード１０に沿って複数の発光エレメント１１がそれぞれ離間した状態で配列されている電飾部Ｇ１、Ｇ２と、バッテリ２０の電力を用いて発光エレメント１１の発光を制御する駆動制御部２１を備えたコントローラユニット２と、光を受けて電力を発電し発電した電力をバッテリ２０に蓄電させる発電パネル３とを有する。第一のグループＧ１に属し且つ給電コード１０に沿って連なった２つの発光エレメント１１ａ・１１ａと、第二のグループＧ２に属し且つ給電コード１０に沿って連なった２つの発光エレメント１１ｂ・１１ｂとが給電コード１０に沿って交互に配列されている。そして、第一のグループＧ１に属する発光エレメント１１ａ・１１ａと第二のグループＧ２に属する発光エレメント１１ｂ・１１ｂとを交互に駆動する発光パターンでの発光制御を実行可能に駆動制御部２１を構成した。【選択図】図２
0003171233.tif 000002
【実用新案登録請求の範囲】
【請求項１】
長尺状の給電コードに沿って複数の発光エレメントがそれぞれ離間した状態で配列されている電飾部と、バッテリ及び当該バッテリの電力を前記給電コードを介して前記発光エレメントに供給することにより前記発光エレメントの発光を制御する駆動制御部を備えたコントローラユニットと、光を受けて電力を発電し、発電した電力を前記バッテリに蓄電させる発電パネルとを具備してなり、
前記駆動制御部は、前記複数の発光エレメントが第一のグループ又は第二のグループのいずれかのグループに属するとした場合に、前記第一のグループに属する発光エレメントと前記第二のグループに属する発光エレメントとを交互に駆動する発光パターンでの発光制御を実行可能に構成されており、
前記第一のグループに属し且つ前記給電コードに沿って連なった複数の発光エレメントと、前記第二のグループに属し且つ前記給電コードに沿って連なった複数の発光エレメントとが前記給電コードに沿って交互に配列されていることを特徴とする電飾装置。
【請求項２】
前記駆動制御部は、前記発光パターンを含む複数の発光パターンが予め記憶されており、これら複数の発光パターンのうち使用する発光パターンを前記コントローラユニットに設けられた操作部への操作に応じて選択可能に構成されているとともに、選択された発光パターンを記憶し、電源投入時に、記憶されている発光パターンを用いて前記発光エレメントを駆動する請求項１に記載の電飾装置。
【請求項３】
前記コントローラユニットと前記電飾部とは、着脱可能な電気コネクタを介して電気的に接続可能にされている請求項１又は２に記載の電飾装置。
【請求項４】
前記発電パネル及び前記コントローラユニットの筐体は、それぞれ別体にされ、前記発電パネルと前記コントローラユニットは、着脱可能な電気コネクタを介して電気的に接続可能にされている請求項１〜３のいずれかに記載の電飾装置。
【請求項５】
前記発光エレメントは、通電により発光する発光部を円筒形状をなす透明樹脂で封止した発光ダイオードであり、前記透明樹脂のうち前記発光部による投光方向側の端部には、円錐状に切り欠いた状態にして凹部が形成されている請求項１〜４のいずれかに記載の電飾装置。
【考案の詳細な説明】
【技術分野】
【０００１】
本考案は、例えばクリスマスツリーの電飾などに用いられる電飾装置に関する。
【背景技術】
【０００２】
クリスマスツリーの電飾などに用いられる従来の電飾装置として特許文献１には、長尺状の給電コードに沿って複数の発光エレメント（ＬＥＤ）がそれぞれ離間した状態で配列されている電飾部と、発光エレメントを発光させるためのコントローラユニットとを有する電飾装置が開示されている。コントローラユニットは、家庭用電源や商用電源からの電力を受けて電圧変換などの各種変換処理を行い、給電コードを介して発光エレメントに通電することにより発光エレメントの発光を制御するものである。
【先行技術文献】
【特許文献】
【０００３】
【特許文献１】登録実用新案第３１６２８２６号公報
【考案の概要】
【考案が解決しようとする課題】
【０００４】
上記特許文献１のように従来の電飾装置は、電源として家庭用電源や商用電源を用いているので電気料金等の電気コストが必要となってしまう。そこで、電気コストを低減又は無くした電飾装置が望まれている。
【０００５】
また、発光エレメントの発光パターンとして、常時点灯、点滅などが考えられるが、より装飾性や審美性を高めた新たな発光パターンが求められる。
【０００６】
本考案は、このような課題に着目してなされたものであって、その目的は、発光エレメントを発光させるための電気コストを低減又は無くするとともに、発光エレメントの新たな発光パターンを実現する電飾装置を提供することである。
【課題を解決するための手段】
【０００７】
本考案は、かかる目的を達成するために、次のような手段を講じたものである。
【０００８】
すなわち、本考案の電飾装置は、長尺状の給電コードに沿って複数の発光エレメントがそれぞれ離間した状態で配列されている電飾部と、バッテリ及び当該バッテリの電力を前記給電コードを介して前記発光エレメントに供給することにより前記発光エレメントの発光を制御する駆動制御部を備えたコントローラユニットと、光を受けて電力を発電し、発電した電力を前記バッテリに蓄電させる発電パネルとを具備してなり、前記駆動制御部は、前記複数の発光エレメントが第一のグループ又は第二のグループのいずれかのグループに属するとした場合に、前記第一のグループに属する発光エレメントと前記第二のグループに属する発光エレメントとを交互に駆動する発光パターンでの発光制御を実行可能に構成されており、前記第一のグループに属し且つ前記給電コードに沿って連なった複数の発光エレメントと、前記第二のグループに属し且つ前記給電コードに沿って連なった複数の発光エレメントとが前記給電コードに沿って交互に配列されていることを特徴とする。
【０００９】
このように、第一のグループに属し給電コードに沿って連なった複数の発光エレメントと、第二のグループに属し給電コードに沿って連なった複数の発光エレメントとが交互に駆動するので、例えば駆動する発光エレメントと駆動しない発光エレメントが交互に配列されている場合に比して、発光部分と消灯部分とをはっきり区別して視認でき、例えば給電コードに沿って光が流れているように視認させるといった、新たな発光態様を実現することが可能となる。
【００１０】
また、発電パネルで発電し、発生させた電力をバッテリに蓄電しておき、バッテリの電力を用いて発光エレメントを発光しているので、いわゆる太陽光などの自然エネルギーを用いて電気料金の不要な電飾装置を提供することが可能となる。
【００１１】
発光パターンを選択する手間を省略して、使用感を向上させるためには、前記駆動制御部は、前記発光パターンを含む複数の発光パターンが予め記憶されており、これら複数の発光パターンのうち使用する発光パターンを前記コントローラユニットに設けられた操作部への操作に応じて選択可能に構成されているとともに、選択された発光パターンを記憶し、電源投入時に、記憶されている発光パターンを用いて前記発光エレメントを駆動するように構成されていることが好ましい。
【００１２】
多種の電飾部に対してコントローラユニットを有効に共用するためには、前記コントローラユニットと前記電飾部とは、着脱可能な電気コネクタを介して電気的に接続可能にされていることが望ましい。
【００１３】
日当たりの良さと操作性の良さとを両立するためには、前記発電パネル及び前記コントローラユニットの筐体は、それぞれ別体にされ、前記発電パネルと前記コントローラユニットは、着脱可能な電気コネクタを介して電気的に接続可能にされていることが望ましい。
【００１４】
光を拡散させて見栄えを向上させるためには、前記発光エレメントは、通電により発光する発光部を円筒形状をなす透明樹脂で封止した発光ダイオードであり、前記透明樹脂のうち前記発光部による投光方向側の端部には、円錐状に切り欠いた状態にして凹部が形成されていることが効果的である。
【考案の効果】
【００１５】
本考案は、以上説明したように、第一のグループに属し給電コードに沿って連なった複数の発光エレメントと、第二のグループに属し給電コードに沿って連なった複数の発光エレメントとを交互に駆動するので、例えば駆動する発光エレメントと駆動しない発光エレメントが交互に配列されている場合に比して、発光部分と消灯部分とをはっきり区別して視認でき、例えば給電コードに沿って光が流れているように視認させるといった、新たな発光態様を実現することが可能となる。
【００１６】
また、発電パネルを電力源に採用しているので、外部電力を不要とし、電気コストを低減又は無くすることが可能となる。
【００１７】
したがって、発光エレメントを発光させるための電気コストを低減又は無くするとともに、発光エレメントの新たな発光パターンを実現する電飾装置を提供することが可能となる。
【図面の簡単な説明】
【００１８】
【図１】本考案の一実施形態に係る電飾装置を模式的に示す図。
【図２】コントローラユニット及び電飾部を模式的に示す図。
【図３】発光エレメントを模式的に示す斜視図及びその一部断面図。
【図４】電飾装置の発光パターンを模式的に示す説明図。
【考案を実施するための形態】
【００１９】
以下、本考案の一実施形態を、図面を参照して説明する。
【００２０】
本実施形態の電飾装置は、図１に示すように、長尺状の給電コード１０に沿って複数の発光エレメント１１（発光ダイオード）がそれぞれ離間した状態で配列されている電飾部１と、バッテリ２０を有しバッテリ２０の電力を用いて発光エレメント１１を発光させるコントローラユニット２と、光を受けて電力を発電し発電した電力をバッテリ２０に蓄電させる発電パネル３とを有する。
【００２１】
発電パネル３は、既知の太陽光発電パネルを用いたもので、発電パネル３を所望の姿勢で設置するための取付部３１が設けられている。取付部３１として、地面などに差し込んで発電パネル本体３０を固定するための棒状の杭部３１ａと、発電パネル本体３０を吊り下げるための環状の引掛部３１ｂとが形成されている。
【００２２】
コントローラユニット２は、図１及び図２に示すように、バッテリ２０と、発光エレメント１１への通電を制御することにより発光エレメント１１の発光（駆動）を制御する制御基板たる駆動制御部２１と、操作部２３とを有する。図１に示すように、コントローラユニット２の筐体と発電パネル３の筐体とは別体にされ、コントローラユニット２と発電パネル３とは、着脱可能な電気コネクタ４０ａ・４０ｂを介して電気的に接続可能にされている。この電気コネクタ４０は、電源アダプタＡｐの電気コネクタＡｐ１とも着脱可能な形状にしてあり、発電パネル３の代わりに電源アダプタＡｐをコントローラユニット２に接続可能にしてある。ここで、仮に、発電パネルと操作部とが一体に構成されている場合に、日当たりの良い場所に発電パネルを配置すると、操作部への操作のしにくい場所に配置してしまう場合があるが、本実施形態のように、操作部２３を有するコントローラユニット２と発電パネル３とを別体に構成しているので、発電パネル３を日当たりのよい場所に配置しても、操作部２３への操作のしやすい場所にコントローラユニット２を配置でき、操作性を損なうことが回避可能となる。
【００２３】
発光エレメント１１は、図３（ａ）及び図３（ｂ）に示すように、通電により発光する発光部１１ｃを円筒形状をなす透明樹脂１１ｄで封止した発光ダイオードである。発光部１１ｃは、その投光方向ＴＤが透明樹脂１１ｄの軸方向に一致する姿勢で透明樹脂１１ｄに封止されている。透明樹脂１１ｄのうち発光部１１ｃによる投光方向側の端部１１ｅは、円錐状に切り欠いた状態にして凹部１１ｆが形成してある。この円錐状の凹部１１ｆは、その頂点から円錐底面への垂線と透明樹脂１１ｄの軸心とが一致するように形成されている。
【００２４】
給電コード１０は、図２に示すように、三本の絶縁被覆電線を縒り合わせたもので、基端側Ｘ１がカソード、先端側Ｘ２がアノードとなる姿勢で複数の発光エレメント１１を連ねて直列接続した第一のライン１０ａ及び第二のライン１０ｂと、第一及び第二のライン１０ａ・１０ｂの先端側Ｘ２（アノード側）に電気的に接続された第三のライン１０ｃとで構成されている。これら第一、第二及び第三のライン１０ａ・１０ｂ・１０ｃの基端は、コントローラユニット２に対し、着脱可能な電気コネクタ４１を介して電気的に接続可能にされている（図１参照）。すなわち、第一のライン１０ａ及び第三のライン１０ｃによって、第一のライン１０ａに設けられた複数の発光エレメント１１ａに通電するための第一の回路が形成され、第二のライン１０ｂ及び第三のライン１０ｃによって、第二のライン１０ｂに設けられた複数の発光エレメント１１ｂに通電するための第二の回路が形成されていることになる。第一のライン１０ａに設けられた発光エレメント１１ａは、第一のグループＧ１に属し、第二のライン１０ｂに設けられた発光エレメント１１ｂは、第二のグループＧ２に属している。
【００２５】
図２に示すように、給電コード１０には、基端側Ｘ１から先端側Ｘ２に向けて第一のグループＧ１に属する発光エレメント１１ａが２つ配置され、これらに続いて第二のグループＧ２に属する発光エレメント１１ｂが２つ配置され、さらに引き続き第一のグループＧ１に属する発光エレメント１１ａが２つ配置されている。すなわち、第一のグループＧ１に属し且つ給電コード１０に沿って連なった複数の発光エレメント１１ａ・１１ａと、第二のグループＧ２に属し且つ給電コード１０に沿って連なった複数の発光エレメント１１ｂ・１１ｂとが給電コード１０に沿って交互に配列されている。
【００２６】
図２に示す駆動制御部２１は、複数の発光パターンが予め記憶されており、操作部２３を構成するモード切替ボタン２３ａ（図１参照）を押下する度に発光パターンが切り替わり、使用する発光パターンを選択可能に構成されている。このモード切替ボタン２３ａは、電源を投入するスイッチや電源を切るスイッチの役割も担っている。発光パターンは、例えば常灯、点滅、光の強さが徐々に変化するといった種々の発光パターンが設定されている。このうち例えば、図４（ａ）及び図４（ｂ）に示すように、第一のグループＧ１に属する発光エレメント１１ａと第二のグループＧ２に属する発光エレメント１１ｂとを交互に駆動する発光パターンが設定されている。具体的には、第一のグループＧ１に属する発光エレメント１１ａを発光（駆動）する一方で、第二のグループＧ２に属する発光エレメント１１ｂを発光（駆動）しない図４（ａ）に示す状態と、第一のグループＧ１に属する発光エレメント１１ａを発光（駆動）しない一方で、第二のグループＧ２に属する発光エレメント１１ｂを発光（駆動）する図４（ｂ）に示す状態とを交互に所定時間経過毎に切り替える。
【００２７】
また、図１に示すように、操作部２３としてタイマーボタン２３ｂが設けられており、タイマーボタン２３ｂを押下する度に予め設定された時間（３時間、５時間、８時間等）を選択可能に構成されている。駆動制御部２１は、選択された時間が経過すると電源をオフにするようにプログラムされている。
【００２８】
さらに、駆動制御部２１は、操作部２３への操作によって選択された発光パターンを内部メモリに記憶し、電源投入時に、メモリに記憶されている発光パターンを用いて発光エレメントを駆動するように構成されている。
【００２９】
以上のように、本実施形態に係る電飾装置は、長尺状の給電コード１０に沿って複数の発光エレメント１１（１１ａ、１１ｂ）がそれぞれ離間した状態で配列されている電飾部１と、バッテリ２０及びバッテリ２０の電力を給電コード１０を介して発光エレメント１１に供給することにより発光エレメント１１の発光を制御する駆動制御部２１を備えたコントローラユニット２と、光を受けて電力を発電し発電した電力をバッテリ２０に蓄電させる発電パネル３とを具備してなり、駆動制御部２１は、複数の発光エレメント１１が第一のグループＧ１又は第二のグループＧ２のいずれかのグループに属するとした場合に、第一のグループＧ１に属する発光エレメント１１ａと第二のグループＧ２に属する発光エレメント１１ｂとを交互に駆動する発光パターンでの発光制御を実行可能に構成されており、第一のグループＧ１に属し且つ給電コード１０に沿って連なった複数の発光エレメント１１ａ・１１ａと、第二のグループＧ２に属し且つ給電コード１０に沿って連なった複数の発光エレメント１１ｂ・１１ｂとが給電コード１０に沿って交互に配列されている。
【００３０】
このように、第一のグループＧ１に属し給電コード１０に沿って連なった複数の発光エレメント１１ａ・１１ａと、第二のグループＧ２に属し給電コード１０に沿って連なった複数の発光エレメント１１ｂ・１１ｂとが交互に駆動するので、例えば駆動する発光エレメントと駆動しない発光エレメントが交互に配列されている場合に比して、発光部分と消灯部分とをはっきり区別して視認でき、例えば給電コード１０に沿って光が流れているように視認させるといった、新たな発光態様を実現することが可能となる。
【００３１】
また、発電パネル３で発電し、発生させた電力をバッテリ２０に蓄電しておき、バッテリ２０の電力を用いて発光エレメント１１を発光しているので、いわゆる太陽光などの自然エネルギーを用いて電気料金の不要な電飾装置を提供することが可能となる。
【００３２】
特に、本実施形態では、駆動制御部２１は、上記発光パターンを含む複数の発光パターンが予め記憶されており、これら複数の発光パターンのうち使用する発光パターンをコントローラユニット２に設けられた操作部２３への操作に応じて選択可能に構成されているとともに、選択された発光パターンを記憶し、電源投入時に、記憶されている発光パターンを用いて発光エレメント１１を駆動するように構成されている。このように構成すると、使用する発光パターンを操作部２３への操作を通じて一旦設定すれば、電源を投入するだけで、一旦選択した発光パターンで発光エレメントが駆動されるので、電源オン時に操作部２３を通じて発光パターンを再度選択する必要がなく、発光パターンを選択する手間を省略して、使用感を向上させることが可能となる。この場合、例えば、スイッチを押下する毎に発光パターンが切り替わり、所望の発光パターンを選択するために複数回スイッチを押下しなければならない構成の場合に、特に有効である。
【００３３】
さらに、本実施形態では、コントローラユニット２と電飾部１とは、着脱可能な電気コネクタ４１を介して電気的に接続可能にされているので、発光エレメント１１の個数やその配置をユニット単位で変更可能となり、多種の電飾部に対してコントローラユニット２を有効に共用することが可能となる。
【００３４】
例えば操作部を備えたコントローラユニットと発電パネルとが一体である場合には、日当たりの良い場所に設置すると、逆に操作性の悪い場所に設置することになることがあり、日当たりと操作性とを両立することができない場合がある。しかし、本実施形態では、発電パネル３及びコントローラユニット２の筐体は、それぞれ別体にされ、発電パネル３とコントローラユニット２は、着脱可能な電気コネクタ４０ａ・４０ｂを介して電気的に接続可能にされているので、発電パネル３を日当たりのよい場所に配置しても、操作部２３への操作のしやすい場所にコントローラユニット２を配置可能となり、日当たりの良さと操作性の良さとを両立することが可能となる。
【００３５】
その他、本実施形態では、発光エレメント１１は、通電により発光する発光部１１ｃを円筒形状をなす透明樹脂１１ｄで封止した発光ダイオードであり、透明樹脂１１ｄのうち発光部１１ｃによる投光方向側の端部１１ｅを円錐状に切り欠いた状態にして凹部１１ｆが形成してあるので、光が軸方向に交差する方向に拡散して、見栄えを向上させることが可能となる。
【００３６】
以上、本考案の実施形態について図面に基づいて説明したが、具体的な構成は、これらの実施形態に限定されるものでないと考えられるべきである。本考案の範囲は、上記した実施形態の説明だけではなく請求の範囲によって示され、さらに請求の範囲と均等の意味および範囲内でのすべての変更が含まれる。
【００３７】
例えば、本実施形態では、第一のグループＧ１に属する２つの発光エレメント１１ａ・１１ａと、第二のグループＧ２に属する２つの発光エレメント１１ｂ・１１ｂとを交互に配置しているが、複数個であれば２つに限定されるものではない。
【００３８】
なお、各部の具体的な構成は、上述した実施形態のみに限定されるものではなく、本考案の趣旨を逸脱しない範囲で種々変形が可能である。
【符号の説明】
【００３９】
Ｇ１…第一のグループ
Ｇ２…第二のグループ
１…電飾部
１０…給電コード
１１…発光エレメント
１１ａ…第一のグループに属する発光エレメント
１１ｂ…第二のグループに属する発光エレメント
１１ｃ…発光部
１１ｄ…透明樹脂
１１ｆ…凹部
２…コントローラユニット
２０…バッテリ
２１…駆動制御部
２３…操作部
３…発電パネル
４０ａ・４０ｂ、４１…電気コネクタ
【図１】
0003171233.tif 000003
【図２】
0003171233.tif 000004
【図３】
0003171233.tif 000005
【図４】
0003171233.tif 000006